(57)【要約】【課題】デジタルテレビジョン放送の電子番組案内は、単一の番組中の複数の話題から使用者が選択するものではなかった。【解決手段】デジタルテレビジョン放送の単一の番組中の複数の話題の放送開始時間を含む話題情報をデータとして含めて番組冒頭部で放送し、該話題情報を受信して所望の話題を選択し、話題の放送開始時間情報を取得することにより、選択した話題をデジタル放送受信装置に自動的に表示できるようにした。単一の番組であっても、その中の話題を使用者が選択して視聴できる効果がある。【選択図】  図１
2005136536.tif 000002
【特許請求の範囲】
【請求項１】
データ放送を含むデジタルテレビジョン放送を受信するためのデジタル放送受信装置において、単一の番組のデータ放送には該番組中の話題ごとに話題情報を含み、
データ放送を含む番組を受信する受信手段と、
前記受信手段にて受信された信号において前記話題情報をデータ放送から取得するデータ放送処理手段と、
前記話題情報を記録する話題情報保持手段と、
前記話題情報保持手段から話題情報を読み出して話題選択画面を形成する画面形成手段と、
前記話題選択画面における使用者からの話題の選択結果を入力して前記受信手段を制御する入力制御手段と、
番組を表示する表示手段とを有し、
前記入力制御手段は、使用者が該話題選択画面から視聴を希望する話題を選択すると、選択された話題の話題情報に基づき該話題が放送開始される時間に該話題の番組を前記表示手段に表示するように前記受信手段を制御することを特徴とするデジタル放送受信装置。
【請求項２】
請求項１記載のデジタル放送受信装置において、上記話題情報は少なくとも各話題の放送開始時刻に関する時間情報であり、該デジタル放送受信装置に備えたタイマの時間と該時間情報の比較により、上記入力制御手段で選択した話題が放送開始される時間になったと判定した場合に該話題の番組を前記表示手段に自動表示することを特徴とするデジタル放送受信装置。
【請求項３】
データ放送を含むデジタルテレビジョン放送を受信するためのデジタル放送受信装置において、単一の番組のデータ放送には該番組中の話題ごとに話題情報を含み、
データ放送を含む番組を受信する受信手段と、
前記受信手段にて受信された信号において前記話題情報をデータ放送から取得するデータ放送処理手段と、
前記話題情報を記録する話題情報保持手段と、
前記話題情報保持手段から話題情報を読み出して話題選択画面を形成する画面形成手段と、
前記話題選択画面における使用者からの話題の選択結果を入力して前記受信手段を制御する入力制御手段と、
前記受信手段において受信したデジタルテレビジョン放送の録画と再生を行なう録画再生手段と、を備え、
前記入力制御手段は、使用者が該話題選択画面から視聴を希望する話題を選択すると、選択された話題の話題情報に基づき該話題が放送開始される時間に該話題の番組を前記録画再生手段に録画するように前記受信手段と前記録画再生手段を制御することを特徴とするデジタル放送受信装置。
【請求項４】
請求項３記載のデジタル放送受信装置において、上記話題の一時録画の開始と共に、音声又は映像でサインを発することを特徴とするデジタル放送受信装置。
【請求項５】
請求項３記載のデジタル放送受信装置において、上記話題情報は少なくとも各話題の放送開始時刻に関する時間情報であり、該デジタル放送受信装置に備えたタイマの時間と該時間情報の比較により、上記入力制御手段で選択した話題が放送開始される時間になったと判定した場合に該話題の番組を前記録画再生手段に録画することを特徴とするデジタル放送受信装置。
【請求項６】
データ放送を含むデジタルテレビジョン放送を受信するためのデジタル放送受信装置において、単一の番組のデータ放送には該番組中の話題ごとに話題情報を含み、
データ放送を含む番組を受信する受信手段と、
前記受信手段において受信したデジタルテレビジョン放送の録画と再生を行なう録画再生手段と、
前記受信手段にて受信された信号において前記話題情報をデータ放送から取得するデータ放送処理手段と、
前記話題情報を記録する話題情報保持手段と、
前記話題情報保持手段から話題情報を読み出して話題選択画面を形成する画面形成手段と、
前記話題選択画面における使用者からの話題の選択結果を入力して前記録画再生手段を制御する入力制御手段と、を備え、
前記入力制御手段は、使用者が該話題選択画面から視聴を希望する話題を選択すると、選択された話題の話題情報に基づき録画再生部を制御して該話題の放送開始の録画個所から再生を開始することを特徴とするデジタル放送受信装置。
【請求項７】
データ放送を含むデジタルテレビジョン放送の放送用のデジタル放送機器及び受信用のデジタル放送受信装置を備えてなるデジタル放送送受信システムにおいて、該デジタル放送機器は単一の番組中の複数の話題の識別情報と時間情報とを含む話題情報を付加データとしてデータ放送する機能を有し、該デジタル放送受信装置では該話題情報を受信する機能を有し、該話題情報を基にデジタル放送の単一の番組内での話題を選択することにより該番組を表示することを特徴とするデジタル放送送受信システム。
【発明の詳細な説明】
【技術分野】
【０００１】
この発明は、デジタルテレビジョン放送を受信するためのデジタル放送受信装置及びにデジタル放送送受信システムに関するものである。
【背景技術】
【０００２】
従来のデジタル放送受信装置は、単一の番組ごとの番組情報をデータ放送から取り込み、放送中の番組の番組案内表を表示させるものであったが、単一の番組中の話題を選択できるものではなかった（例えば、特許文献１）。
【０００３】
【特許文献１】特開平１０−４２２０７号公報  （第２−３頁、図１）
【発明の開示】
【発明が解決しようとする課題】
【０００４】
本発明の目的は、単一の番組中の話題を選択でき、その後、表示部の電源を切ったり、他の番組に切り替えていても、選択した話題の放送が開始される時間になると自動的に表示されてライブ視聴できるようにすることにある。
【０００５】
本発明の他の目的は、単一の番組中の話題を選択、選択した話題の放送が開始された後に視聴操作を行なうと、選択した話題の録画開始個所に自動的に頭出ししてタイムシフトして視聴できるようにすることにある。
【課題を解決するための手段】
【０００６】
本発明は、上記した目的に対して、単一の番組のデータ放送には番組冒頭部で放送される該番組中の複数の話題ごとの放送開始を判定するための話題情報を含み、使用者が視聴を希望する話題を選択すると、それ以後に表示停止や、他の番組を選局して視聴していても、選択された話題の話題情報に基づき該話題が放送開始される時間になったと判定した場合に該話題の番組を自動表示するものである。
【０００７】
上記した他の目的に対して、単一の番組のデータ放送部には番組冒頭で放送される該番組中の複数の話題ごとの放送開始時刻を判定するための話題情報を含み、録画して再生する際に、デジタル放送受信装置の使用者が話題を選択すると、選択された話題の話題情報に基づき該話題の放送開始個所に自動で頭出しして再生を開始するものである。
【発明の効果】
【０００８】
以上のように、本発明では、デジタルテレビジョン放送の単一の番組中の複数の話題の中から使用者が見たい話題だけを選択して見ることができ、使用者が時間を有効に活用できる効果がある。
【発明を実施するための最良の形態】
【０００９】
以下、この発明の実施の形態を説明する。
【実施例１】
【００１０】
図１は、この発明の実施の形態１によるデジタル放送受信装置の構成を示すブロック図である。図１において、１はデジタル放送受信装置、２はチューナ／復調器、３はデスクランブラ、４はＤＥＭＵＸ、５はデコーダ、６ａ，６ｂは加算器、７ａ，７ｂはＤ／Ａ変換器、８はスピーカ、９は表示部、１０は付加音源、１１はＯＳＤ（Ｏｎ−ｓｃｒｅｅｎ  Ｄｉｓｐｌａｙの略）、１２はデータ放送処理部、１３は番組情報保持部、１４は話題情報保持部、１７は入力／制御部、１８はタイマ、１９はアンテナ入力端子である。
図１において、デジタルテレビジョン放送に付属するデータ放送は、ＤＥＭＵＸ４で分離してデータ放送処理部１２でさらに番組情報と話題情報に分離されて、それぞれのデータは番組情報保持部１３と話題情報保持部１４に記録される。番組情報は、従来の電子番組案内表（ＥＰＧともいう）を作成するために用いられる番組単位のデータである。一方、話題情報は、単一の番組中の複数の話題のそれぞれについての情報であり、放送される時間単位で細分化したデータである。上記の話題情報を番組の冒頭部に放送し、それを受信して番組の表示の制御に用いることが特徴である。
【００１１】
ＯＳＤ１１は、番組情報保持部１３又は話題情報保持部１４のデータを取り込んで、選択画面データを作成し、映像信号用の加算器６ｂに入力することで、表示部９に各種の選択画面を表示するものである。番組選択の操作の場合は番組情報から作成した電子番組案内表を表示し、話題選択の操作の場合は、話題情報から作成した図３の示すような話題選択画面３０を表示する。図３は、ニュース番組の話題選択画面３０の一例であり、含まれる項目は話題識別ＩＤ３１、話題３２、主な内容３３、開始時間３４、終了時間３５である。必要に応じてこれらの項目は、増減又は変更してもよい。
【００１２】
図２は、使用者が話題を選択して、その話題が表示されるまでの手順を示した流れ図である。まず、ステップ１１０で見たい番組ＡＢの放送されているＡ局を選局して受信する。ステップ１２０とステップ１３０は、番組冒頭部の話題情報を自動取得するものである。話題情報を含まない放送の場合には、次のステップ１４０には進めない。話題情報が取得できた場合にはステップ１４０に移動し、使用者の操作によって話題選択画面を表示させる。ステップ１５０では使用者が話題の選択操作を行ない、次のステップ１６０で選択した話題情報の開始時間をＡ局を選局して自動表示するまでの時間に設定する。話題情報を取り込むと同時にタイマ１８を起動させておく。
【００１３】
他の方法としては、番組ＡＢの開始からの時間を話題情報をデータ放送時に放送して、タイマをその時間に合わせる。そして、個々の話題の放送開始時間は、番組の開始からの時間として話題情報をデータ放送する。この方法では、個々の話題の放送開始時間を話題情報を放送する時刻に影響されることなく決めることができる。
【００１４】
そして、ステップ１７０、１８０でタイマがステップ１６０での設定時間になれば、Ａ局以外を選局中であればＡ局を自動選局し、表示部の電源が切断されていれば電源を自動で投入し、番組ＡＢの放送を表示する。この結果、番組冒頭部で選択した話題の放送が開始されると、自動的に表示されて視聴できるという効果がある。
【実施例２】
【００１５】
図４は、この発明の実施の形態２によるデジタル放送受信装置の動作を説明する流れ図である。同図のステップ２２０で番組冒頭部での話題の紹介画面が表示されている間に、ステップ２３０において使用者は表示している話題が気に入れば選択の操作を行なう。ステップ２４０、２５０では、話題が選択されていれば該話題の時間情報を記録する。ステップ２６０では、話題の紹介が継続されるかどうかを判定し、継続されない場合は、次のステップ２７０に進む。ステップ２７０、２８０は、選択した話題が放送開始となったかどうかを判定して表示を行なうものである。この実施の形態２では、映像を見ながら話題を選択でき、使用者の好みに一致するものを選び易いという利点がある。なお、複数の話題を選択した場合には、ステップ２８０を一度実行して放送を表示した後、ステップ２７０に戻るようにすればよい。
【実施例３】
【００１６】
図５は、この発明の実施の形態３によるデジタル放送受信装置の構成を示すブロック図である。同図において、図１と同じ動作をするものには同じ番号を付している。図５において、１５は記録再生・暗号処理、１６は記録装置である。図５のデジタル放送受信装置１は、ＤＥＭＵＸ４から出力される放送番組データを記録再生・暗号処理１５で暗号をかけた後、記録装置１６に録画し、再生時には記録装置１６から記録データを読み出して記録再生・暗号処理１５で暗号を解いた後にデコーダ５に入力するブロックが、図1の構成に対して付け加えられている。この記録再生・暗号処理１５と記録装置１６の全体で、デジタルテレビジョン放送の録画再生機能を果たす。
【００１７】
また、図６は、この発明の実施の形態３によるデジタル放送受信装置の動作を説明する流れ図である。図６の流れ図に示すように、ステップ３７０で選択した話題の放送が開始される時間になったかどうかの判定を行なうまでは、実施の形態１と同じであるが、ステップ３８０で音声又は映像で選択した話題の放送が開始されたことを示すサインを出し、ほぼ同時にＡ局を自動選局し、選択した話題の一時録画を開始する。
【００１８】
この発明の実施の形態では、放送が開始された後であれば、選択した話題を一時録画しているので、使用者の都合の良い時間にタイムシフトして見ることができるという効果がある。
【００１９】
なお、ステップ３８０で音声又は映像で選択した話題の放送が開始されたことを示すサインを出すことにより、選択した話題の放送が始まったことを知ることができる効果がある。サインを出す必要がなければ、このステップは省略してもよい。
【実施例４】
【００２０】
図７は、この発明の実施の形態４によるデジタル放送受信装置の動作を説明する流れ図である。同図に示すように、最初にステップ４１０でＡ局の番組ＡＢを受信して録画を開始する。次に、ステップ４２０、４３０では、話題情報を自動取得する。その後、番組の終了の有無に関わらずにステップ４４０では任意のタイミングで使用者は話題の選択画面表示の操作を行なう。ステップ４５０では使用者が話題を選択し、その後ステップ４７０で、選択した話題が放送開始されたかどうかを判定し、放送未開始の場合にはステップ４６０で放送未開始を意味する表示した後、ステップ４５０の戻る。また、放送開始後の場合には、選択した話題の録画開始個所に頭出しして、再生を開始する。このためには、各話題の録画開始位置にブックマークを挿入するようにすればよい。
【００２１】
この実施の形態では、番組全体を録画する最中もしくは録画後に、見たい話題を選択すれば良いので、特定の時間に使用者が拘束されることなく見たい話題を選択でき、また何度でも話題の選択をやり直して視聴できるという効果がある。
【図面の簡単な説明】
【００２２】
【図１】本発明の実施例１によるデジタル放送受信装置の構成を示すブロック図。
【図２】本発明の実施例１によるデジタル放送受信装置の動作を説明する流れ図。
【図３】本発明の実施例１によるデジタル放送受信装置に関わる話題選択画面の一例を示す図。
【図４】本発明の実施例２によるデジタル放送受信装置の動作を説明する流れ図。
【図５】本発明の実施例３によるデジタル放送受信装置の構成を示すブロック図。
【図６】本発明の実施例３によるデジタル放送受信装置の動作を説明する流れ図。
【図７】本発明の実施例４によるデジタル放送受信装置の動作を説明する流れ図。
【符号の説明】
【００２３】
１  デジタル放送受信装置、２  チューナ／復調器、３  デスクランブラ、
４  ＤＥＭＵＸ、５  デコーダ、６ａ，６ｂ  加算器、７ａ，７ｂ  Ｄ／Ａ変換器、８  スピーカ、９  表示部、１０  付加音源、１１  ＯＳＤ、１２  データ放送処理部、１３  番組情報保持部、１４  話題情報保持部、１５  記録再生・暗号処理、１６  記録装置、１７  入力／制御部、１８  タイマ、１９  アンテナ入力端子、３０  話題選択画面、３１  話題識別ＩＤ、３２  話題、３３  主な内容、３４  開始時間、  ３５  終了時間。
【図１】
2005136536.tif 000003
【図２】
2005136536.tif 000004
【図３】
2005136536.tif 000005
【図４】
2005136536.tif 000006
【図５】
2005136536.tif 000007
【図６】
2005136536.tif 000008
【図７】
2005136536.tif 000009